(57)【要約】【課題】商品載置面を前側を下に傾斜しても商品胴部の表示が視認し易い棚板及び陳列什器を提供する。【解決手段】本発明にかかる棚板９は、前板１７と、前板１７に連結した後板１９と、ストッパー２１とを備え、前板１７は最前に位置する商品を載せるものであり、後板１９は、前側を下に傾斜しており、且つ前板１７に対する傾斜角度Ｒが可変であり、ストッパー２１は、前板１７の前面で商品Ｐを受ける。【選択図】図１
2018094291.tif 000002
【特許請求の範囲】
【請求項１】
前板と、前板に連結した後板と、ストッパーとを備え、前板は、最前に位置する商品を載せるものであり、後板は、前側を下に傾斜しており、且つ前板に対する傾斜角度が可変であり、ストッパーは、前板の前面で商品を受けることを特徴とする棚板。
【請求項２】
請求項１に記載の棚板を備えたことを特徴とする陳列什器。
【発明の詳細な説明】
【技術分野】
【０００１】
本発明は、棚板及び陳列什器に関する。
【背景技術】
【０００２】
非特許文献１には、前側にストッパーを設けた棚板を、前側を下に傾斜して配置することが開示されている。
【先行技術文献】
【非特許文献】
【０００３】
【非特許文献１】第１０８頁〜第１１０頁「ドラッグストア／ＤＲＵＧ  ＳＴＯＲＥ／Ｄｒｕｇ  Ｓｔｏｒｅ／２００５．７」、商品コード０９８２２０ＳＥ  立山アルミニウム工業株式会社  ２００５年  ７月２日発行
【発明の概要】
【発明が解決しようとする課題】
【０００４】
しかし、棚板を、前側を下に傾斜すると、最前に位置する商品も傾斜するので商品胴部の表示が目視し難いという問題があった。
【０００５】
そこで、本発明は、商品載置面を前側を下に傾斜しても商品胴部の表示が視認し易い棚板及び陳列什器の提供を目的とする。
【課題を解決するための手段】
【０００６】
請求項１に記載の発明は、前板と、前板に連結した後板と、ストッパーとを備え、前板は、最前に位置する商品を載せるものであり、後板は、前側を下に傾斜しており、且つ前板に対する傾斜角度が可変であり、ストッパーは、前板の前面で商品を受けることを特徴とする棚板である。  
【０００７】
請求項２に記載の発明は、請求項１に記載の棚板を備えたことを特徴とする陳列什器である。  
【発明の効果】
【０００８】
請求項１及び２に記載の発明によれば、商品の種類や陳列状態等によって商品が商品載置面を滑るように商品載置面の傾斜角度を調整できると共に、商品載置面を傾斜させても商品胴部の表示が目視し易い。  
【図面の簡単な説明】
【０００９】
【図１】本発明の実施の形態にかかる陳列什器の棚板部分を抜き出して示す縦断面図であり、（ａ）と（ｂ）とで棚板を異なる傾斜角度にした図である。
【図２】図１に示す各棚板に商品を陳列した状態を示す縦断面図である。
【図３】棚板の縦断面図である。
【図４】棚板の斜視図である。
【図５】本発明の実施の形態にかかる陳列什器の縦断面図であり、陳列している商品を一部省略した図である。
【発明を実施するための形態】
【００１０】
以下に、添付図面の図１〜図５を参照して本発明の実施の形態を説明する。  
図５に示すように、本発明の実施の形態にかかる陳列什器１は、ショーケース３内に設置されるものであり、前側に設けた左右の前柱５と、後側に設けた左右の後柱７と、上下に間隔を空けて設けた複数の棚板９とを備えている。  
図１に示すように、各前柱５には棚板９の前側を支持する前側棚受け１１が取り付けてあり、各後柱７には棚板９の後側を支持する後側棚受け１３が取り付けてある。各前側棚受け１１及び後側棚受け１３は、各柱５、７に上下に間隔をあけて複数形成されている係止孔１５に脱着自在に取り付けてある。  
【００１１】
図１及び図４に示すように、棚板９は、前板１７と、前板１７に連結した後板１９と、ストッパー２１とを備えている。後板１９の左右には各々側枠２３が設けてあり、後板１９の後側には後枠２５が設けてある。  
図２に示すように、前板１７は、最前に位置する商品Ｐを載せるものであり、上面にはストッパー２１を押える押え材２７が設けてある。商品Ｐは、本実施の形態では、飲料ボトルであり、その胴部には商品の名称の表示がされている。尚、図２では、（ａ）（ｂ）共に前側の２つの商品Ｐについて胴部に商品表示を付しているが、その他の商品については胴部の表示を省略している。  
【００１２】
図１及び図３に示すように、ストッパー２１は、ストッパー部２１ａとベース部２１ｂとで側面視略Ｌ字形状を成しており、ベース部２１ｂの上面に押え材２７が載置されている。  
前板１７にはストッパー２１のベース部２１ｂを載置する載置部１７ａが形成してあり、載置部１７ａの前方にはストッパー２１のストッパー部２１ａに沿って上方に突出する突出部１７ｂが形成されている。図１に示すように、載置部１７ａの下面は前側棚受け１１に支持される被支持部２９である。  
前板１７の後端部には、後板１９の前端に係合する被係合部３１が設けてある。被係合部３１は、その前面及び後面が各々上下方向に湾曲する円弧面に形成されている。  
押え材２７の後端部には回動支点となる回動軸３３が形成されている。この回動軸３３は、上下方向の円弧面としてある。  
前板１７において、被係合部３１の前側には前側棚受け１１に設けてある前係止部４３（図１参照）を係止する前被係止部４５が形成されている。前係止部４３は上方に突出する突部であり、前被係止部４５は前係止部４３が下から挿入される凹部である。  
【００１３】
後板１９は、商品載置面（上面）が滑らかに形成してあり、前を下に傾斜して配置したときに商品Ｐが下方に向けて滑るようにしてある。後板１９の前端部には、上述した前板１７の被係合部３１に回動自在に係合する係合部３５が形成されている。係合部３５は、被係合部３１を上下にスライド自在に収納する溝であり、溝壁面は被係合部３１の前面及び後面と一致する円弧面を成している。  
係合部３５の後側には、押え材２７の回動軸３３を受ける軸受け３７が形成されている。後板１９の商品載置面（上面）と押え材２７の商品載置面（上面）は連続した面としている。  
また、図１に示すように、後板１９の前端には前側棚受け１１に支持される前側被支持部４７が形成されている。  
後板１９の後端部には、後側棚受け１３に設けてある後係止部４９を係止する後被係止部４１が形成されている。後係止部４９は上方に突出する突部であり、後被係止部４１は後係止部４９が下から挿入される凹部である。また、後板１９の後端部には後側棚受け１３に支持される後側被支持部５１が形成されている。  
【００１４】
ここで、棚板９における後板１９の傾斜について説明する。  
図１に示すように、各棚板９の後板１９は、後側よりも前側を低くして傾斜しており、図１（ａ）に示す棚板９では傾斜角度Ｒ２で傾斜し、図１（ｂ）に示す棚板９では傾斜角度Ｒ１で傾斜して設置している。傾斜角度Ｒ１とＲ２は異なる角度であり、例えば、傾斜角度Ｒ２は１０．０度、傾斜角度Ｒ１は５．０度である。  
前板１７は押え材２７の上面を僅かに前側を下方に傾斜しているが、傾斜角度Ｒ３は略３．０〜４．０である。  
図３に示すように、前板１７の後端部に設けた被係合部３１は、後板１９の前端に設けた係合部３５に対して、相対的に上下方向に回動自在となっている。この為、後板１９は前板１７に対して、相対的に前後に傾斜する傾斜角度が可変である。  
【００１５】
次に、陳列什器１における棚板９の設置及び後板１９の傾斜角度の調整について説明する。  
棚板９の設置は、左右の前柱５において、所定位置の係止孔１５に前側棚受け１１を係止すると共に後柱７にも所定位置の係止孔１５に後側棚受け１３を係止する。  
そして、前板１７と後板１９を連結させた状態で、前板１７の後端部を前側棚受け１１の上に載せて前板１７の被支持部２９を前側棚受け１１で支持すると共に後板１９の前側被支持部４７を前側棚受け１１で支持する。同時に、後板１９の後端部を後側棚受け１３に載せて、後板１９の後側被支持部５１を後側棚受け１３で支持する。そして、前側棚受け１１の前係止部４３を前板１７の前被係止部４５に係止し、後側棚受け１３の後係止部４９を後板１９の後被係止部４１に係止する。  
【００１６】
棚板９において、後板１９の傾斜角度を設定したり変えたりする場合には、左右の後柱７、７における後側棚受け１３の係止位置を変える。例えば、図１（ｂ）に示すように傾斜角度Ｒ１から、図１（ａ）に示す傾斜角度Ｒ２に変える場合には、前側棚受け１１に対する後側棚受け１３の係止位置を上方に変える。  
【００１７】
次に、本実施の形態にかかる陳列什器１及び棚板９の作用効果について説明する。  
商品Ｐが樹脂ボトル飲料や、缶飲料、紙製の牛乳パック等の種類や重量、冷却又は常温等の状態によって、後板１９に載置された商品Ｐが棚板９を滑り易かったり、滑り難くい場合があるが、本実施の形態にかかる陳列什器１によれば、後板１９は前板１７に対する傾斜角度Ｒ１、Ｒ２を可変にしているので、商品Ｐの滑り状態に応じて後板１９の傾斜角度を調整できる。更に、後板１９の傾斜角度を大きくした場合でも、前板１７の傾斜角度Ｒ３は僅かに傾斜した状態を維持できるから、最前に位置する商品Ｐは常に略直立した状態に保ち、最前に位置する商品Ｐの胴部が正面から見易く、商品胴部の表示が目視し易い。  
後板１９の傾斜は、後柱７に係止している後側棚受け１３の係止位置を変えるだけ傾斜角度の変更ができる。  
【００１８】
本実施の形態にかかる棚板９は、前板１７は被支持部２９を有し、後板１９は前側被支持部４７と後側被支持部５１を有し、後板１９の前側被支持部４７は、前板１７の被支持部２９と同じ前側棚受け１１（支持部）に支持されるものであり、後板１９は、後側被支持部５１を支持する後側棚受け１３（支持部）の支持位置を変えることで角度を変える構成であるから、後板１９の傾斜角度の変更の為の構成が簡易である。  
また、本実施の形態にかかる陳列什器１は、棚板９と、前柱５と、後柱７とを備え、前板１７は被支持部２９が前柱５に取付けた前側棚受け１１で支持され、後板１９は、前側被支持部４７が、前板１７を支持する前柱５に取付けた前側棚受け１１で支持され、後側被支持部５１が後柱７に取付けた後側棚受け１３で支持される構成であるから、陳列什器１としての構成も簡易である。  
【００１９】
本発明は、上述した実施の形態に限らず、本発明の要旨を逸脱しない範囲で種々変形可能である。  
例えば、陳列什器１はショーケース内に設置されることに限らず、店舗内に設置して商品を陳列するものであっても良い。  
商品Ｐは、ボトル飲料に限らず、缶や紙製パック商品であっても良く、商品Ｐの種類は限定されない。  
後板１９は、ローラーマットを配置したものであっても良い。  
後板１９の傾斜角度Ｒ１、Ｒ２を変更するときには、前側棚受け１１に対する後側棚受け１３の係止位置を相対的に上下に変更すればよいので、後側棚受け１３の位置を変えないで、前側棚受け１１の位置を変えても良い。  
【符号の説明】
【００２０】
１    陳列什器
９    棚板
１１  前側棚受け（前側支持部）
１３  後側棚受け（後側支持部）
１７  前板
１９  後板
２９  被支持部
４７  前側被支持部
５１  後側被支持部
Ｐ    商品
Ｒ１、Ｒ２  傾斜角度
【図１】
2018094291.tif 000003
【図２】
2018094291.tif 000004
【図３】
2018094291.tif 000005
【図４】
2018094291.tif 000006
【図５】
2018094291.tif 000007